(57)【要約】      （修正有）【課題】色彩を強調可能な色彩強調光学レンズ装置を提供する。【解決手段】色彩強調光学レンズ装置は、レンズ本体１、光学フィルタ１０及び光学吸収部２を含む。レンズ本体は第１レンズ面１１及び第２レンズ面１２を含み、光学フィルタは第１レンズ面と第２レンズ面の間に配置される。且つ、光学吸収部は光学フィルタに付与される。光学吸収部は第１主吸収ピーク領域及び第２主吸収ピーク領域を含む。第１主吸収ピーク領域は第１吸収ピーク部を含み、第２主吸収ピーク領域は第２吸収ピーク部を含む。第１主吸収ピーク領域は第１波長範囲を有し、第１波長範囲は４２０〜４４０ｎｍの間である。且つ、第１主吸収ピーク領域は高エネルギーの青色光・紫外光吸収領域である。また、第２主吸収ピーク領域は第２波長範囲を有し、第２波長範囲は５８０〜６１０ｎｍの間である。【選択図】図１
0003227172.tif 000002
【実用新案登録請求の範囲】
【請求項１】
第１レンズ面及び第２レンズ面を含み、前記第１レンズ面が第１の側に位置し、前記第２レンズ面が第２の側に位置するレンズ本体、
前記第１レンズ面と前記第２レンズ面の間に配置される光学フィルタ、及び
前記光学フィルタに位置し、第１主吸収ピーク領域及び第２主吸収ピーク領域を含み、且つ、前記第１主吸収ピーク領域が第１吸収ピーク部を含み、前記第２主吸収ピーク領域が第２吸収ピーク部を含む光学吸収部、を有し、
前記第１主吸収ピーク領域は第１波長範囲を有し、前記第１波長範囲は４２０〜４４０ｎｍの間であり、且つ、前記第２主吸収ピーク領域は第２波長範囲を有し、前記第２波長範囲は５８０〜６１０ｎｍの間である色彩強調光学レンズ装置。
【請求項２】
第１レンズ面及び第２レンズ面を含み、前記第１レンズ面が第１の側に位置し、前記第２レンズ面が第２の側に位置するレンズ本体、
前記第１レンズ面と前記第２レンズ面の間に配置される光学フィルタ、及び
前記光学フィルタに付与され、第１主吸収ピーク領域及び第２主吸収ピーク領域を含み、且つ、前記第１主吸収ピーク領域が第１吸収ピーク部を含み、前記第２主吸収ピーク領域が第２吸収ピーク部を含む光学吸収部、を有し、
前記第１主吸収ピーク領域は第１波長範囲を有し、前記第１波長範囲は４２０〜４４０ｎｍの間であり、且つ、前記第２吸収ピーク部は第２波長範囲で変化し、前記第２波長範囲は５８０〜６１０ｎｍの間である色彩強調光学レンズ装置。
【請求項３】
第１レンズ面及び第２レンズ面を含み、前記第１レンズ面が第１の側に位置し、前記第２レンズ面が第２の側に位置するレンズ本体、
前記第１レンズ面と前記第２レンズ面の間に配置される光学フィルタ、及び
前記光学フィルタに付与され、第１主吸収ピーク領域及び第２主吸収ピーク領域を含み、且つ、前記第１主吸収ピーク領域が第１吸収ピーク部を含み、前記第２主吸収ピーク領域が第２吸収ピーク部を含む光学吸収部、を有し、
前記第１主吸収ピーク領域の第１吸収ピーク部は第１波長範囲で変化し、前記第１波長範囲は４２０〜４４０ｎｍの間であり、且つ、前記第２主吸収ピーク領域は第２波長範囲を有し、前記第２波長範囲は５８０〜６１０ｎｍの間である色彩強調光学レンズ装置。
【請求項４】
前記第１主吸収ピーク領域の前記第１吸収ピーク部は第１吸収率を有し、前記第１吸収率は８０％以上又は９５％以上である請求項１〜３のいずれか１項に記載の装置。
【請求項５】
前記第１主吸収ピーク領域の前記第１吸収ピーク部は第１最大吸収波長を有し、前記第１最大吸収波長は約４３２ｎｍである請求項１〜３のいずれか１項に記載の装置。
【請求項６】
前記第２主吸収ピーク領域の前記第２吸収ピーク部は第２吸収率を有し、前記第２吸収率は５０％以上、６０％以上、７０％以上又は８０％以上である請求項１〜３のいずれか１項に記載の装置。
【請求項７】
前記第２主吸収ピーク領域の前記第２吸収ピーク部は第２最大吸収波長を有し、前記第２最大吸収波長は約５９５ｎｍである請求項１〜３のいずれか１項に記載の装置。
【請求項８】
前記第２波長範囲は、５９０〜６０５ｎｍ又は５９０〜６００ｎｍの間である請求項２に記載の装置。
【請求項９】
前記第１波長範囲は４２５〜４３５ｎｍの間である請求項３に記載の装置。
【考案の詳細な説明】
【技術分野】
【０００１】
本考案は、色彩を強調可能な光学レンズ装置に関し、特に、眼鏡又は目の保護具に用いられる光学レンズ装置に関し、更には、複数の波長のピーク、最も高い位置、ピーク値又はピーク部の範囲を吸収可能な色彩強調光学レンズ装置に関する。
【背景技術】
【０００２】
従来の光学レンズ技術については、特許文献１が色彩強調機能を有する眼鏡又はアイウェアを開示している。当該色彩強調機能を有する眼鏡又はアイウェアはレンズ本体を含み、レンズ本体が光学フィルタを有する。
【０００３】
上記特許文献１の光学フィルタは、複数のスペクトル帯域で可視光を減衰するために用いられる。スペクトル帯域は、スペクトル帯域幅を有する吸収ピーク、最大吸収量、中心波長及び吸光度のピーク領域を含む。また、光学フィルタは、青色光の吸収ピーク、黄色光の吸収ピーク及び赤色光の吸収ピークを有する。青色光の吸収ピークの中心波長は約４４５〜４８０ｎｍの間か４４５〜４８５ｎｍの間、黄色光の吸収ピークの中心波長は約５４０〜６００ｎｍの間か５７２〜５７６ｎｍの間、赤色光の吸収ピークの中心波長は約６１０〜６６０ｎｍの間である。
【０００４】
別の従来の光学レンズ技術として、特許文献２は色彩強調機能を有する眼鏡又はアイウェアを開示している。当該色彩強調機能を有する眼鏡又はアイウェアはレンズを含み、レンズは外観がグレーである。且つ、レンズは少なくとも１つ又は複数のフィルタ部を含む。
【０００５】
上記特許文献２のフィルタ部は第１フィルタ部である。且つ、第１フィルタ部は可視光内にスペクトル範囲を有しており、スペクトル範囲の波長は約４４０〜５１０ｎｍの間である。また、フィルタ部は第２フィルタ部と第３フィルタ部を含む。第２フィルタ部のスペクトル範囲の波長は約５４０〜６００ｎｍの間であり、第３フィルタ部のスペクトル範囲の波長は約６３０〜６６０ｎｍの間である。
【０００６】
別の従来の光学レンズ技術として、特許文献３は色彩強調機能を有する眼鏡又はアイウェアを開示している。当該色彩強調機能を有する眼鏡又はアイウェアはレンズ本体を含み、レンズ本体が光学フィルタを有する。
【０００７】
上記特許文献３の光学フィルタは、第１スペクトル帯域及び第２スペクトル帯域で可視光を減衰するために用いられる。第１スペクトル帯域及び第２スペクトル帯域は、それぞれスペクトル帯域幅を有する吸収ピーク、最大吸収量、中心波長及び全体の吸光度のピーク領域を含む。また、第１スペクトル帯域は第１吸収ピーク及び第１中心波長を含み、第２スペクトル帯域は第２吸収ピーク及び第２中心波長を含む。第１中心波長は、約４５０〜４９０ｎｍの間、４４０〜５１０ｎｍの間、又は４５０〜４９０ｎｍの間であり、第２中心波長は、約５５５〜５９０ｎｍの間、５５５〜５８０ｎｍの間、又は５５０〜５７０ｎｍの間である。
【０００８】
別の従来の光学レンズ技術として、特許文献４は色彩強調機能を有する眼鏡又はアイウェアを開示している。当該色彩強調機能を有する眼鏡又はアイウェアはレンズ本体を含み、レンズ本体が光学フィルタを有する。
【０００９】
上記特許文献４の光学フィルタは、第１スペクトル帯域及び第２スペクトル帯域で可視光を減衰するために用いられる。第１スペクトル帯域及び第２スペクトル帯域は、それぞれスペクトル帯域幅、最大吸収量、中心波長及び全体の吸光度のピーク領域を有する。また、第１スペクトル帯域は第１吸収ピーク及び第１最大吸光度を含み、第２スペクトル帯域は第２吸収ピーク及び第２最大吸光度を含む。且つ、第１吸収ピークは約４４０〜５１０ｎｍの間、第２吸収ピークは約５５０〜５９０ｎｍの間であり、第１最大吸光度は約４４０〜５１０ｎｍの間、第２最大吸光度は約５４０〜６００ｎｍの間である。
【００１０】
別の従来の光学レンズ技術として、特許文献５は色彩強調機能を有する眼鏡又はアイウェアを開示している。当該色彩強調機能を有する眼鏡又はアイウェアはレンズ本体を含み、レンズ本体が光学フィルタを有する。且つ、光学フィルタは少なくとも１つ又は複数のフィルタ部を含む。
【００１１】
上記特許文献５の光学フィルタは、複数のスペクトル帯域で可視光を減衰するために用いられる。各スペクトル帯域は、スペクトル帯域幅を有する吸収ピーク、最大吸収量、中心波長及び全体の吸光度のピーク領域を含む。また、光学フィルタは、青色光の吸収ピーク及び黄色光の吸収ピークを有する。且つ、青色光の吸収ピークの中心波長は約４４５〜４８０ｎｍの間、黄色光の吸収ピークの中心波長は約５４０〜５８０ｎｍの間である。
【００１２】
上記特許文献５のフィルタ部は第１フィルタ部と第２フィルタ部を含む。第１フィルタ部は可視光内にスペクトル範囲を有しており、スペクトル範囲の波長は約４４０〜４８０ｎｍの間である。また、第２フィルタ部は可視光内にスペクトル範囲を有しており、第２フィルタ部のスペクトル範囲の波長は約６３０〜６６０ｎｍの間である。
【００１３】
別の従来の光学レンズ技術として、特許文献６は色彩強調機能を有する眼鏡又はアイウェアを開示している。当該色彩強調機能を有する眼鏡又はアイウェアはレンズ本体を含み、レンズ本体が光学フィルタを有する。且つ、光学フィルタは少なくとも１つ又は複数のフィルタ部を含む。
【００１４】
上記特許文献６のフィルタ部は、第１フィルタ部、第２フィルタ部及び第３フィルタ部を含む。第１フィルタ部は可視光内にスペクトル範囲を有しており、スペクトル範囲の波長は約４４０〜４８０ｎｍの間である。また、第２フィルタ部は可視光内にスペクトル範囲を有しており、第２フィルタ部のスペクトル範囲の波長は約５４０〜６００ｎｍの間である。また、第３フィルタ部は可視光内にスペクトル範囲を有しており、第２フィルタ部のスペクトル範囲の波長は約６３０〜６６０ｎｍの間である。
【００１５】
上記特許文献６の光学フィルタは、青色光の吸収ピーク、黄色光の吸収ピーク及び赤色光の吸収ピークを有する。且つ、青色光の吸収ピークの中心波長は約４４０〜５１０ｎｍの間、黄色光の吸収ピークの中心波長は約５４０〜６００ｎｍの間、赤色光の吸収ピークの中心波長は約６１０〜６６０ｎｍの間である。
【００１６】
別の従来の光学レンズ技術として、特許文献７は色彩強調機能を有する眼鏡又はアイウェアを開示している。当該色彩強調機能を有する眼鏡又はアイウェアはレンズ本体を含み、レンズ本体が光学フィルタを有する。
【００１７】
上記特許文献７の光学フィルタは、複数のスペクトル帯域で可視光を減衰するために用いられる。各スペクトル帯域は、スペクトル帯域幅を有する吸収ピーク、吸収ピークに関する吸光度ピーク、最大吸光度、中心波長及び全体の吸光度のピーク領域を含む。また、光学フィルタは、第１吸収ピーク、第２吸収ピーク及び第３吸収ピークを有する。
【００１８】
上記特許文献７の第１吸収ピークにおける吸光度ピークの最大吸光度は、約４４０〜５１０ｎｍの間か４４５〜４８０ｎｍの間である。或いは、第１吸収ピークの中心波長は約４４５〜４８０ｎｍの間である。或いは、第１吸収ピークは約４４０〜５１０ｎｍの間である。
【００１９】
また、上記特許文献７の第２吸収ピークの中心波長は約５７２〜５７６ｎｍの間、又は５４０〜６００ｎｍの間、又は５５０〜５９０ｎｍの間である。或いは、第２吸収ピークにおける吸光度ピークの最大吸光度は約５７０〜６００ｎｍの間、又は５４０〜６００ｎｍの間、又は５８０〜６００ｎｍの間である。或いは、第２吸収ピークは約５８０〜６００ｎｍの間である。また、第３吸収ピークの中心波長は約６３０〜６７０ｎｍの間である。
【先行技術文献】
【特許文献】
【００２０】
【特許文献１】米国特許第０９１３４５４１号明細書
【特許文献２】米国特許第０９３８３５９４号明細書
【特許文献３】米国特許第０９５７５３３５号明細書
【特許文献４】米国特許第０９９１０２９７号明細書
【特許文献５】米国特許第０８７７０７４９号明細書
【特許文献６】米国特許第１０４０１６５２号明細書
【特許文献７】米国特許第１０３４５６２３号明細書
【考案の概要】
【考案が解決しようとする課題】
【００２１】
本考案の主たる目的は、色彩強調光学レンズ装置を提供することである。当該色彩強調光学レンズ装置はレンズ本体に光学フィルタを配置し、レンズ本体が光学吸収部を含む。且つ、光学吸収部は第１主吸収ピーク領域及び第２主吸収ピーク領域を含む。第１主吸収ピーク領域は第１吸収ピーク部を含み、第２主吸収ピーク領域は第２吸収ピーク部を含む。且つ、第１主吸収ピーク領域は高エネルギーの青色光・紫外光吸収領域である。これにより、視覚される色彩の強調、視覚される環境の強調、目の快適性の向上及び目に対する保護の向上との目的が達成される。
【課題を解決するための手段】
【００２２】
本考案の色彩強調光学レンズ装置は、第１レンズ面及び第２レンズ面を含み、第１レンズ面が第１の側に位置し、第２レンズ面が第２の側に位置するレンズ本体と、第１レンズ面と第２レンズ面の間に配置される光学フィルタと、光学フィルタに付与され、第１主吸収ピーク領域及び第２主吸収ピーク領域を含み、且つ、第１主吸収ピーク領域が第１吸収ピーク部を含み、第２主吸収ピーク領域が第２吸収ピーク部を含む光学吸収部、を有する。第１主吸収ピーク領域は第１波長範囲を有し、当該第１波長範囲は４２０〜４４０ｎｍの間である。且つ、第１主吸収ピーク領域は高エネルギーの青色光・紫外光吸収領域である。また、第２主吸収ピーク領域は第２波長範囲を有し、当該第２波長範囲は５８０〜６１０ｎｍの間である。
【００２３】
本考案の色彩強調光学レンズ装置は、第１レンズ面及び第２レンズ面を含み、第１レンズ面が第１の側に位置し、第２レンズ面が第２の側に位置するレンズ本体と、第１レンズ面と第２レンズ面の間に配置される光学フィルタと、光学フィルタに付与され、第１主吸収ピーク領域及び第２主吸収ピーク領域を含み、且つ、第１主吸収ピーク領域が第１吸収ピーク部を含み、第２主吸収ピーク領域が第２吸収ピーク部を含む光学吸収部、を有する。第１主吸収ピーク領域は第１波長範囲を有し、当該第１波長範囲は４２０〜４４０ｎｍの間である。且つ、第１主吸収ピーク領域は高エネルギーの青色光・紫外光吸収領域である。また、第２吸収ピーク部は第２波長範囲で変化し、当該第２波長範囲は５８０〜６１０ｎｍの間である。
【００２４】
本考案の色彩強調光学レンズ装置は、第１レンズ面及び第２レンズ面を含み、第１レンズ面が第１の側に位置し、第２レンズ面が第２の側に位置するレンズ本体と、第１レンズ面と第２レンズ面の間に配置される光学フィルタと、光学フィルタに付与され、第１主吸収ピーク領域及び第２主吸収ピーク領域を含み、且つ、第１主吸収ピーク領域が第１吸収ピーク部を含み、第２主吸収ピーク領域が第２吸収ピーク部を含む光学吸収部、を有する。第１吸収ピーク部は第１波長範囲で変化し、当該第１波長範囲は４２０〜４４０ｎｍの間である。且つ、第１主吸収ピーク領域は高エネルギーの青色光・紫外光吸収領域である。また、第２主吸収ピーク領域は第２波長範囲を有し、当該第２波長範囲は５８０〜６１０ｎｍの間である。
【図面の簡単な説明】
【００２５】
【図１】図１は、本考案の第１実施例における色彩強調光学レンズ装置の構造を示す図である。
【図２】図２は、本考案の第２実施例における色彩強調光学レンズ装置の構造を示す図である。
【図３】図３は、本考案の実施例における色彩強調光学レンズ装置が第１スペクトル帯域を使用する場合を示す図である。
【図４】図４は、本考案の実施例における色彩強調光学レンズ装置が第２スペクトル帯域を使用する場合を示す図である。
【図５】図５は、本考案の実施例における色彩強調光学レンズ装置が第３スペクトル帯域を使用する場合を示す図である。
【図６】図６は、本考案の実施例における色彩強調光学レンズ装置が第４スペクトル帯域を使用する場合を示す図である。
【図７】図７は、本考案の実施例における色彩強調光学レンズ装置が第５スペクトル帯域を使用する場合を示す図である。
【図８】図８は、本考案の実施例における色彩強調光学レンズ装置が第６スペクトル帯域を使用する場合を示す図である。
【図９】図９は、本考案の実施例における色彩強調光学レンズ装置が第７スペクトル帯域を使用する場合を示す図である。
【図１０】図１０は、本考案の実施例における色彩強調光学レンズ装置が第８スペクトル帯域を使用する場合を示す図である。
【図１１】図１１は、本考案の実施例における色彩強調光学レンズ装置が第９スペクトル帯域を使用する場合を示す図である。
【図１２】図１２は、本考案の実施例における色彩強調光学レンズ装置が第１０スペクトル帯域を使用する場合を示す図である。
【図１３】図１３は、本考案の実施例における色彩強調光学レンズ装置が第１１スペクトル帯域を使用する場合を示す図である。
【図１４】図１４は、本考案の実施例における色彩強調光学レンズ装置が第１２スペクトル帯域を使用する場合を示す図である。
【考案を実施するための形態】
【００２６】
本考案の色彩強調光学レンズ装置は、各種眼鏡装置、各種色眼鏡又はサングラス装置、各種バーチャルゲーム機用に装着される眼鏡装置、各種ゴーグル装置、各種スマート眼鏡装置又はその他の光学眼鏡装置に適用される。
【００２７】
図１に示すように、本考案の第１実施例における色彩強調光学レンズ装置は、構造として、第１レンズ本体１、光学フィルタ１０及び光学吸収部２を含む。
【００２８】
図１に示すように、第１レンズ本体１は曲面のレンズ本体から選択され、例えば、光学補正眼鏡のレンズ、サングラスのレンズ、アウトドアスポーツ用眼鏡のレンズ、室内作業又は読書用眼鏡のレンズ、ヘルメット用シールド、又はその他用途の曲面のレンズ本体から選択される。第１レンズ本体１は光を透過可能な本体である。且つ、第１レンズ本体１は適切な曲率を有する。
【００２９】
図１に示すように、第１レンズ本体１は、第１レンズ面１１及び第２レンズ面１２を含む。第１レンズ面１１は第１の側（例えば、第１レンズ本体１の外側）に位置し、第２レンズ面１２は第２の側（例えば、第１レンズ本体１の内側）に位置する。
【００３０】
図２に示すように、第１実施例と比較して、本考案の第２実施例の色彩強調光学レンズ装置は、構造として、第２レンズ本体１ａ、光学フィルタ１０及び光学吸収部２を含む。
【００３１】
図２に示すように、第２レンズ本体１ａは平面のレンズ本体又は略平面のレンズ本体から選択され、例えば、ゴーグルのレンズ、３Ｃ（Ｃｏｍｐｕｔｅｒ、Ｃｏｍｍｕｎｉｃａｔｉｏｎｓ、Ｃｏｎｓｕｍｅｒ−Ｅｌｅｃｔｒｏｎｉｃｓ）電気製品又はコンピュータスクリーン用の眼を保護するための光学フィルタ、或いはその他用途の平面のレンズ本体から選択される。
【００３２】
図１及び図２に示すように、適切な技術手段又は製造工程によって、光学フィルタ１０を第１レンズ本体１又は第２レンズ本体１ａの第１レンズ面１１と第２レンズ面１２の間に適切に配置することで、光線（図１及び図２の矢印）を適切にフィルタリングする。
【００３３】
図１及び図２に示すように、適切な技術手段又は製造工程によって、光学吸収部２を光学フィルタ１０に付与する。光学吸収部２は複数の主吸収ピーク領域を含む。また、光学吸収部２は、適切な技術手段又は製造工程によって着色料を用いて製造される。着色料は、ＦＯＢ−０２（λＭａｘ＝４３２ｎｍ）又はＦＯＧ−０７（λＭａｘ＝５９５ｎｍ）から選択される。
【００３４】
図１及び図２に示すように、光学吸収部２は複数の主吸収ピーク領域を含む。光学吸収部２は、光線（図１及び図２の矢印）を適切にフィルタリングしてスペクトル帯域を形成する。また、図１及び図２の湾曲点線で示すように、光学吸収部２には複数の減衰領域が形成されている。且つ、光学吸収部２の複数の減衰領域は濃度の異なる着色料を選択して製造すればよい。
【００３５】
図１、図２及び図３に示すように、光学吸収部２は第１スペクトル帯域を発生させる（図３）。第１スペクトル帯域において、光学吸収部２の複数の主吸収ピーク領域は、第１主吸収ピーク領域ａ（図３の左側）及び第２主吸収ピーク領域ｂ（図３の右側）を含む。また、着色料の濃度は、ＦＯＢ−０２（λＭａｘ＝４３２ｎｍ）約０．０１５ｇ／ｋｇ  ＰＣ又はＦＯＧ−０７（λＭａｘ＝５９５ｎｍ）約０．０３ｇ／ｋｇ  ＰＣから選択される。
【００３６】
図１、図２及び図３に示すように、第１主吸収ピーク領域ａは第１吸収ピーク部を含み、第２主吸収ピーク領域ｂの第２吸収ピーク部を含む。第１主吸収ピーク領域ａは第１波長範囲を有し、当該第１波長範囲として４２０〜４４０ｎｍの間が選択される。且つ、第１主吸収ピーク領域は高エネルギーの青色光・紫外光吸収領域である。また、第２主吸収ピーク領域は第２波長範囲を有し、当該第２波長範囲として５８０〜６１０ｎｍの間が選択される。
【００３７】
本考案の別の実施例では、第１波長範囲として４２０〜４４０ｎｍの間が選択され、第２波長範囲として５８０〜６１０ｎｍの間が選択される。
【００３８】
本考案の別の実施例では、第１波長範囲として、４２０〜４４０ｎｍの間又は４２５〜４３５ｎｍの間が選択され、第２波長範囲として、５８０〜６１０ｎｍの間、５９０〜６０５ｎｍの間又は５９０〜６００ｎｍの間が選択される。
【００３９】
図３に示すように、第１主吸収ピーク領域ａの第１吸収ピーク部は第１吸収率を有し、当該第１吸収率は９５％以上である（図３の左側）。また、第２主吸収ピーク領域ｂの第２吸収ピーク部は第２吸収率を有し、当該第２吸収率は８０％以上又は８５％以上である（図３の右側）。即ち、第１吸収率と第２吸収率の間には所定の比が存在する（例えば、９５：８０）。且つ、図３〜図１４に示すように、所定の比は１よりも大きいかその他の範囲となる。
【００４０】
図３に示すように、第１主吸収ピーク領域ａの第１吸収ピーク部は第１最大吸収波長を有し、当該第１最大吸収波長は約４３２ｎｍである。同様に、第２主吸収ピーク領域ｂの第２吸収ピーク部は第２最大吸収波長を有し、当該第２最大吸収波長は約５９５ｎｍである。
【００４１】
図１、図２及び図４〜１１に示すように、光学吸収部２は第２〜第９スペクトル帯域を発生させる（図４〜図１１）。第２〜第９スペクトル帯域において、光学吸収部２の複数の主吸収ピーク領域は、第１主吸収ピーク領域ａ（図４〜図１１の左側）及び第２主吸収ピーク領域ｂ（図４〜図１１の右側）を含む。
【００４２】
図４〜図１１に示すように、第１主吸収ピーク領域ａの第１吸収ピーク部は第１吸収率を有し、当該第１吸収率は９５％以上である（図４〜図１１の左側）。また、第２主吸収ピーク領域ｂの第２吸収ピーク部は第２吸収率を有し、当該第２吸収率は８０％以上である（図４〜図１１の右側）。
【００４３】
図１、図２及び図１２に示すように、光学吸収部２は第１０スペクトル帯域を発生させる（図１２）。第１０スペクトル帯域において、光学吸収部２の複数の主吸収ピーク領域は、第１主吸収ピーク領域ａ（図１２の左側）及び第２主吸収ピーク領域ｂ（図１２の右側）を含む。
【００４４】
図１２に示すように、第１主吸収ピーク領域ａは第１吸収率を有し、当該第１吸収率は９５％以上である（図１２の左側）。また、第２主吸収ピーク領域ｂの第２吸収ピーク部は第２吸収率を有し、当該第２吸収率は７０％以上である（図１２の右側）。
【００４５】
図１、図２及び図１３に示すように、光学吸収部２は第１１スペクトル帯域を発生させる（図１３）。第１１スペクトル帯域において、光学吸収部２の複数の主吸収ピーク領域は、第１主吸収ピーク領域ａ（図１３の左側）及び第２主吸収ピーク領域ｂ（図１３の右側）を含む。
【００４６】
図１３に示すように、第１主吸収ピーク領域ａの第１吸収ピーク部は第１吸収率を有し、当該第１吸収率は９５％以上である（図１３の左側）。また、第２主吸収ピーク領域ｂの第２吸収ピーク部は第２吸収率を有し、当該第２吸収率は６０％以上である（図１３の右側）。
【００４７】
図１、図２及び図１４に示すように、光学吸収部２は第１２スペクトル帯域を発生させる（図１４）。第１２スペクトル帯域において、光学吸収部２の複数の主吸収ピーク領域は、第１主吸収ピーク領域ａ（図１４の左側）及び第２主吸収ピーク領域ｂ（図１４の右側）を含む。
【００４８】
図１４に示すように、第１主吸収ピーク領域ａの第１吸収ピーク部は第１吸収率を有し、当該第１吸収率は９５％以上である（図１４の左側）。また、第２主吸収ピーク領域ｂの第２吸収ピーク部は第２吸収率を有し、当該第２吸収率は５０％以上である（図１４の右側）。
【符号の説明】
【００４９】
１    第１レンズ本体
１ａ  第２レンズ本体
１０  光学フィルタ
１１  第１レンズ面
１２  第２レンズ面
２    光学吸収部
ａ    第１主吸収ピーク領域
ｂ    第２主吸収ピーク領域
【図１】
0003227172.tif 000003
【図２】
0003227172.tif 000004
【図３】
0003227172.tif 000005
【図４】
0003227172.tif 000006
【図５】
0003227172.tif 000007
【図６】
0003227172.tif 000008
【図７】
0003227172.tif 000009
【図８】
0003227172.tif 000010
【図９】
0003227172.tif 000011
【図１０】
0003227172.tif 000012
【図１１】
0003227172.tif 000013
【図１２】
0003227172.tif 000014
【図１３】
0003227172.tif 000015
【図１４】
0003227172.tif 000016